(57)【要約】【課題】従来の、吸着ロータを用いる技術では、装置が大型化する、あるいは、加湿ダクトの径が大きく工事性が悪いという課題を有している。【解決手段】室外機１０４に配備された加湿装置２００は、加湿空気生成手段である加熱ユニット２０１、水供給手段であるポンプ２０２、貯水手段である水タンク２０３、加湿空気搬送手段である送風機２０４、加湿制御ユニット２０５を備え、室内機１０１には室内温湿度センサ１１９が、室外機１０４には室外温湿度センサ１２１が、加湿装置２００には加湿空気温度センサ２１４が備えられ、室内目標湿度、温湿度信号、加湿空気温度信号などから加熱ユニット２０１、ポンプ２０２、送風機２０４の出力を決定することで、衛生的で信頼性の高い加湿機能を実現する。【選択図】図１
2010084979.tif 000002
【特許請求の範囲】
【請求項１】
室内の空気と冷媒との熱交換を行う室内熱交換手段と前記室内の空気を前記室内熱交換手段に送る室内送風手段とを有する室内機と、室外の空気と冷媒との熱交換を行う室外熱交換手段と前記室外の空気を前記室外熱交換手段に送る室外送風手段と前記冷媒を吸い込み圧縮して吐出する圧縮機と前記冷媒の流通抵抗を調整して高圧冷媒を減圧膨張させる絞り手段とを有する室外機とを接続して、ヒートポンプサイクルを構成する空気調和機であって、前記室外機に設けた加湿手段が、取り込んだ前記室外の空気と水を加熱して高温で絶対湿度の高い加湿空気を作る加湿空気生成手段と、前記加湿空気生成手段に水を供給する水供給手段と、前記水供給手段が取水するための貯水手段と、前記加湿空気を前記室内機に送る加湿空気搬送手段とを備え、前記室内の空気を加湿することを特徴とする空気調和機。
【請求項２】
前記加湿空気搬送手段が、前記加湿空気生成手段の上流に配置されたことを特徴とする請求項１に記載の空気調和機。
【請求項３】
前記加湿空気生成手段が、空気と水を加熱する加熱手段を有し、前記加熱手段は前記空気を加熱する空気加熱部と、前記水を加熱して水蒸気を発生させる蒸気発生部とを備えたことを特徴とする請求項１または２に記載の空気調和機。
【請求項４】
前記加熱手段の前記蒸気発生部が凹形状を成し、前記空気加熱部にはフィンが設けられていることを特徴とする請求項３に記載の空気調和機。
【請求項５】
前記加熱手段の発熱部が平板形状を成し、一方の面に前記蒸気発生部を配し、もう一方の面には前記フィンを有する前記空気加熱部を配することを特徴とする請求項４に記載の空気調和機。
【請求項６】
前記加湿空気生成手段の後に前記加湿空気の温度を検出する加湿空気温度検出手段を備え、前記加湿空気生成手段の後の前記加湿空気の温度が所定の温度になるように前記加熱手段の出力を調整し、目標とする加湿量に応じて、前記水供給手段の出力を調整することを特徴とする請求項３〜５のいずれか１項に記載の空気調和機。
【請求項７】
前記加湿空気を搬送する距離に応じて、前記加湿空気搬送手段と、前記加湿空気生成手段の出力を調整することを特徴とする請求項１〜６のいずれか１項に記載の空気調和機。
【請求項８】
前記室内の温度と湿度を検出する室内温湿度検出手段を備え、目標湿度と前記室内温湿度検出手段の検出湿度との差に応じて加湿量を決定し、前記加湿空気生成手段の出力を調整することを特徴とする請求項１〜７のいずれか１項に記載の空気調和機。
【請求項９】
前記室外の温度と湿度を検出する室外温湿度検出手段を備え、前記加湿量を、前記室内の前記目標温湿度と前記室内温湿度検出手段が検出した前記室内の温度湿度と、前記室外温湿度検出手段が検出した前記室外の温度湿度とから算出することを特徴とする請求項８に記載の空気調和機。
【発明の詳細な説明】
【技術分野】
【０００１】
本発明は、室外の空気を加湿して室内に供給することで加湿を行うことのできる空気調和機に関するものである。
【背景技術】
【０００２】
従来、この種の空気調和機は、数多くの発明が考案されている。その中で、現在実際に製品として普及している代表的な装置は、特許文献１に示される加湿装置を搭載した空気調和機で、吸着材でできたロータを回転させながら、室外空気中の水分を吸着させ、加熱して離脱させ湿度の高い空気を得、室内に送るという動作を連続的に行い、加湿を行うものである。
【０００３】
図４は、特許文献１に記載された従来の空気調和機の加湿装置を搭載した空気調和機の構成を示すものである。図４に示すように、空気調和機は、室内熱交換器１０２と室内送風機１０３を備えた室内機１０１と、圧縮機１０７、四方弁１０９、室外熱交換器１０５、室外送風機１０６、膨張弁１０８、加湿装置３００を備えた室外機１０４で構成されている。
【０００４】
そして、加湿装置３００は、ゼオライトなどの水蒸気を吸着する材料をハニカム状のロータに成形した吸着ロータ３０１、駆動ベルト３０２、駆動モータ３０３、送風装置３０４、３０５、ヒータ３０６で構成されている。
【０００５】
図４の冷媒サイクル１１６は暖房状態を示しており、矢印１１６ａ、１１６ｂ、１１６ｃ、１１６ｄ、１１６ｅの方向に流れており、圧縮機１０７で圧縮された高温高圧の冷媒が四方弁１０９を通って室内熱交換器１０２で凝縮し、室内１００を暖房する。室内熱交換器１０２で凝縮した冷媒は、膨張弁１０８で減圧膨張し、室外熱交換器１０５で気化し、四方弁１０９を通って圧縮機１０７に戻る。
送風装置３０４、３０５はそれぞれ別の送風路を形成しており、送風装置３０４の送風路３０７は外気中の水蒸気を吸着ロータ３０１に吸着させるためのもので、装置内に取り込まれた外気は矢印３０４ａの方向に流れ、吸着ロータ３０１を通り、湿度を奪われて矢印３０４ｂのように再び外気へ放出される。
【０００６】
送風装置３０５により加湿空気が送られる加湿空気搬送路１１７は、吸着ロータ３０１に吸着した水分を離脱させ、加湿空気を搬送するためのもので、装置に取り込まれた外気は、ヒータ３０６で加熱され、吸着ロータ３０１の水分を離脱させて湿度の高い空気となる。そして、送風装置３０５に吸い込まれ、矢印３０６ａ、３０５ａの方向に流れ、室内機１０１に搬送されて室内１００の加湿を行う。
【０００７】
そのほかにも特許文献２のように搬送空気に水を噴霧する技術や、特許文献３のように室外機のドレン水を室内機へ搬送し自然気化させて加湿する技術などがある。
【特許文献１】特許第３５５９４２１号公報
【特許文献２】特公昭６０−５３８２３号公報
【特許文献３】特許第２９１９７１１号公報
【発明の開示】
【発明が解決しようとする課題】
【０００８】
しかしながら、前記従来の、搬送空気に水を噴霧する技術や室外機のドレン水を室内機へ搬送し自然気化させて加湿する技術では、黴菌類や藻類の繁殖が懸念され、衛生面での
課題や搬送路詰まりなどの課題を有している。
また、吸着ロータを用いる技術では、２つの送風機、吸着ロータが大きな容積を必要とし装置が大型化するという課題を有している。さらに、搬送空気に水を噴霧する技術についても、噴霧のための空間が必要であり理由は異なるが同様に装置が大型化するという課題を有している。
また、吸着ロータを用いる技術では、加熱空気で水分を離脱させるため離脱のための熱量を加熱空気が持たなくてはならない。したがって、加湿量を増加させるためには加熱空気の温度を上げるか、搬送空気を増加させる必要がある。
現実的には、装置構成上温度の上限が存在するので、加湿量に対して多量の搬送空気が必要となりそれに見合って、搬送路の断面積が大きくなり設置の工事性が悪化するという課題も有している。
【０００９】
本発明は、前記従来の課題を解決するもので、黴菌類や藻類の繁殖による衛生面での課題や搬送路詰まりなどの課題がなく、小型で設置工事性に優れた加湿機能を有する空気調和機を提供することを目的とする。
【課題を解決するための手段】
【００１０】
前記従来の課題を解決するために、本発明の加湿機能を有する空気調和機は、取り込んだ室外の空気と水を加熱して高温で絶対湿度の高い加湿空気を作る加湿空気生成手段と、前記加湿空気生成手段に水を供給する水供給手段と、前記水供給手段が取水するための貯水手段と、前記加湿空気を前記室内機に送る加湿空気搬送手段とを有する加湿手段を室外機に備えるものである。
【００１１】
これによって、空気および水を加熱により殺菌することができ、１つの加湿空気生成手段と１つの水供給手段と１つの加湿空気搬送手段のみで構成することができ、高温高湿の加湿空気を作り小断面積の搬送路で搬送することができる。
【発明の効果】
【００１２】
本発明の空気調和機は、空気および水を加熱により殺菌することができるので、黴菌類や藻類の繁殖、搬送路詰まりを防ぎ、衛生的で信頼性の高い加湿機能を実現することができる。また、１つの加湿空気生成手段と１つの水供給手段と１つの加湿空気搬送手段のみで構成することができるので、小型の装置を提供することができる。更に、高温高湿の加湿空気を作り小断面積の搬送路で搬送することができるので、優れた工事性を実現することができる。
【発明を実施するための最良の形態】
【００１３】
第１の発明は、室内機と室外機とを接続してヒートポンプサイクルを構成する空気調和機であって、取り込んだ室外の空気と水を加熱して高温で絶対湿度の高い加湿空気を作る加湿空気生成手段と、前記加湿空気生成手段に水を供給する水供給手段と、前記水供給手段が取水するための貯水手段と、前記加湿空気を前記室内機に送る加湿空気搬送手段とを有する、加湿手段を室外機に備えたことにより、空気および水を加熱により殺菌することができ、２つの小さな加熱手段と１つの加湿空気搬送手段のみで構成することができ、高温高湿の加湿空気を作り小断面積の搬送路で搬送することができ、衛生的で信頼性の高い加湿機能を実現し、小型で工事性に優れた装置を提供することができる。
【００１４】
第２の発明は、特に、第１の発明の加湿空気搬送手段が、加湿空気生成手段の上流に配置されたことにより、高温の空気や水蒸気が加湿空気搬送手段を通らないので、熱により劣化することが無く、熱損失も低減することができ、信頼性が高く効率の良い装置を提供することができる。
【００１５】
第３の発明は、特に、第１または第２の発明の加湿空気生成手段が、空気と水を加熱する加熱手段を有し、加熱手段は空気を加熱する空気加熱部と、水を加熱して水蒸気を発生させる蒸気発生部とを備えたことにより、それぞれを加熱するのに適した構造を採用することができ、効率の良い加湿空気生成手段を構成することができる。
【００１６】
第４の発明は、特に、第３の発明の加熱手段の蒸気発生部が凹形状を成し、空気加熱部にはフィンを設けることにより、空気加熱部における水の飛散や滴下をなくし、空気との熱交換を促進することができ、簡単で安価な構成で安全性に優れた、熱効率の良い加湿空気生成手段を構成することができる。
【００１７】
第５の発明は、特に、第４の発明の加熱手段の発熱部が平板形状を成し、一方の面に蒸気発生部を配し、もう一方の面にはフィンを有する空気加熱部を配することにより、凹形状の蒸気発生部とフィンを有する空気加熱部とを空間の無駄なく配置することができ、小型で、簡単で安価な構成で、安全性に優れた熱効率の良い加湿空気生成手段を構成できる。
【００１８】
第６の発明は、特に、第３〜５のいずれか１つの発明の加湿空気生成手段の後に加湿空気の温度を検出する加湿空気温度検出手段を備え、加湿空気生成手段の後の加湿空気の温度が所定の温度になるように加熱手段の出力を調整し、目標とする加湿量に応じて、水供給手段の出力を調整することにより、加湿空気の温度や湿度を所望の状態に調整し結露を避けながら加湿量を制御することができ、信頼性が高く、優れた快適性を得ることができる。
【００１９】
第７の発明は、特に、第１〜６のいずれか１つの発明の加湿空気を搬送する距離に応じて、加湿空気搬送手段と、加湿空気生成手段の出力を調整することにより、搬送距離が変化しても所定量の加湿空気を搬送し、最大加湿量の低下や、搬送量の過剰を避け、信頼性が高く効率の良い加湿を行うことができ、能力が安定した、効率の良い加湿を実現することができる。
【００２０】
第８の発明は、特に、第１〜７のいずれか１つの発明において、室内の温度と湿度を検出する室内温湿度検出手段を備え、目標湿度と前記室内温湿度検出手段の検出湿度との差に応じて加湿量を決定し、前記加湿空気生成手段の出力を調整することにより、湿度制御の応答性の向上を実現することができ、優れた快適性を得ることができる。
第９の発明は、特に、第８の発明において、室外の温度と湿度を検出する室外温湿度検出手段を備え、加湿量を、室内の目標温湿度と室内温湿度検出手段が検出した室内の温湿度と、室外温湿度検出手段が検出した室外の温湿度とから算出することにより、室外の空気の絶対湿度が変化しても、加湿空気の絶対湿度を正確に制御し、目標の加湿量に対し加湿空気の絶対湿度が高くなりすぎて、結露を生じたりするのを防ぐことができ、搬送路内の結露などに対する信頼性の高い装置を得ることができる。
【００２１】
以下、本発明の実施の形態について、図面を参照しながら説明する。なお、この実施の形態によって本発明が限定されるものではない。
（実施の形態１）
図１は、本発明の第１の実施の形態における空気調和機の構成図を示すものである。
【００２２】
図１に示すように、第１の実施の形態における空気調和機は、室内熱交換手段である室内熱交換器１０２と室内送風手段である室内送風機１０３を備えた室内機１０１と、圧縮機１０７、四方弁１０９、室外熱交換手段である室外熱交換器１０５、室外送風手段である室外送風機１０６、絞り手段である膨張弁１０８、加湿装置２００を備えた室外機１０４で構成されている。図１において、冷媒サイクル１１６は暖房状態を示しており、矢印
１１６ａ、１１６ｂ、１１６ｃ、１１６ｄ、１１６ｅの方向に流れており、圧縮機１０７で圧縮された高温高圧の冷媒が四方弁１０９を通って室内熱交換器１０２で凝縮し、室内１００を暖房する。室内熱交換器１０２で凝縮した冷媒は、膨張弁１０８で減圧膨張し、室外熱交換器１０５で気化し、四方弁１０９を通って圧縮機１０７に戻る。
【００２３】
除霜運転時や冷房運転時は、四方弁１０９を切換えて、冷媒を四方弁１０９から順に室外熱交換器１０５、室内熱交換器１０２を経て四方弁１０９に戻す向きに流す。
【００２４】
暖房専用機などの場合、四方弁１０９は必ずしも必要ではない。
【００２５】
そして、加湿装置２００は、加湿空気生成手段である加熱ユニット２０１、水供給手段であるポンプ２０２、貯水手段である水タンク２０３、加湿空気搬送手段である送風機２０４、加湿制御ユニット２０５を備えている。  さらに、室内機１０１には室内温湿度センサ１１９が、室外機１０４には室外温湿度センサ１２１が、加湿装置２００には加湿空気温度センサ２１４が備えられており、それぞれ温湿度信号１２０、１２２が加湿制御ユニット２０５に送られる。加湿制御ユニット２０５は、加湿運転の入切、室内の目標湿度、温湿度信号１２０、１２２、加湿空気温度信号２１５などから加熱ユニット２０１、ポンプ２０２、送風機２０４の出力２０６、２０７、２０８を決定する。
【００２６】
水タンク２０３に蓄えられた室外熱交換器１０５での凝縮水は、ポンプ２０２により矢印２０２ａのように加熱ユニット２０１へ運ばれる。一方、送風機２０４により矢印２０４ａのように取り込まれた外気は、矢印２０４ｂのように加熱ユニット２０１へ運ばれる。
ここで使用するポンプ２０２は、通常の水を循環させる大流量ものではなく、小容量（〜５０ｃｃ／ｍｉｎ程度）で流量制御が可能なものが望ましい。加熱ユニット２０１では、出力密度の高いヒータを用いれば小型にすることが可能である。
【００２７】
そして、加熱ユニット２０１においては、運ばれてきた凝縮水と外気は加熱され、凝縮水は沸騰して蒸発し、外気は高温の空気となり互いに混合し、高温高湿度の加湿空気となって矢印２０１ａのように室内機１０１へ運ばれ、室内１００を加湿する。
【００２８】
加熱ユニット２０１では、ポンプ２０３で給水された凝縮水加熱沸騰させて水蒸気にするので、殺菌がなされ衛生的である。外気についても、空気を１００℃を超える温度まで加熱すれば、結露を防止できるとともに良好な衛生状態を得ることができる。この点において、本発明は水を液で搬送して気化させる技術や水を噴霧する技術に比べ優れている。
【００２９】
さらに、小さなポンプ２０２を１つ、小さな加熱ユニット２０１を１つ、さらに、加湿空気搬送手段も、送風機２０４の１つだけで構成できるので、嵩高い吸着材のロータや搬送用に加えて吸着用の送風機を使用する吸着式の技術に比べ、小型の装置を構成することができる。
【００３０】
また、吸着式では、水分の離脱に必要な熱量はすべて、加熱された空気が担うことになる。水分の離脱に必要な熱量は概ね水の潜熱に近く、吸着能力の高いゼオライトなどでは水の潜熱よりも若干多くの熱が必要である。例えば、１００ｇの水分を１ｋｇの乾き空気と混合して湿り空気（露点は約５３℃）を作るとき、水の潜熱を２３００Ｊ／ｇ、空気の比熱を１．００６Ｊ／（ｇ・Ｋ）とすると、水を離脱させるために空気は最低でも２２９℃以上高い温度が必要となる。結露防止のため加湿空気の温度を１００℃とすると、吸着ロータに接触する前の空気は最低でも３３０℃以上の温度が必要になり、使用する材料が限られ装置の構成に困難をともなう。
これを回避するには、水分の離脱に使用する空気の量を増やし、空気の温度を下げること
になる。その結果、搬送する加湿空気の総質量は増加し、これに見合った断面積の大きなダクトが必要になる。
一方、本発明においては、ポンプ２０２の給水量、送風機２０４による外気の取り込み量、加熱ユニット２０１における加熱量などの出力が制御できるので、容易に高温高湿の加湿空気を作ることができる。したがって、搬送すべき加湿空気の総質量を減らすことができ、断面積の小さなダクトを使用することができるので、優れた工事性を実現することができる。
また、送風機２０４は加熱ユニット２０１の上流にあるので、高温あるいは高温高湿の空気が内部を通らないので、送風機２０４の熱による劣化を防ぎ、熱損失を低減することができる。
【００３１】
図２は、図１に示した空気調和機の加熱ユニット２０１の構成図を示すものである。
【００３２】
図２において、（ａ）は加熱ユニット２０１の側断面図、（ｂ）は流路に垂直な面側からの断面図である。
【００３３】
加熱ユニット２０１は、蒸気発生部である蒸発皿２０９、空気加熱部である放熱フィン２１０、２１１、平板状のヒータ２１２からなる加熱手段を有し、図１のポンプ２０２から矢印２０２ａのように供給された凝縮水が、給水ノズル２１３から蒸発皿２０９に供給され蒸発する。一方、図１の送風機２０４により取り込まれた外気は、矢印２０４ｂのように、加熱ユニット２０１に取り込まれ、一部は放熱フィン２１０側を通って加熱され、残りは蒸発皿２０９および放熱フィン２１０を通って、水蒸気を含みながらさらに加熱され、再び合流して高温高湿の加湿空気となって矢印２０１ａのように運ばれていく。
【００３４】
ヒータ２１２は絶縁処理を施され、蒸発皿２０９や放熱フィン２１０、２１１と密着して放熱しており、両面を有効に使用している
加熱ユニット２０１は、蒸発皿２０９や放熱フィン２１０、２１１など、加熱する対象に応じた形態をとっており、それぞれ効率の良い加熱を行うことができる。
【００３５】
特に、凹状の蒸発皿２０９採用することで、水の飛散や滴下をなくすことができるので、ヒータ２１２のリード線取り出し部などから水が浸入して絶縁不良を起こしたりする危険性を回避できる。また、蒸発皿２０９や放熱フィン２１０、２１１などは、簡単な形状でヒータやモータなどの能動部品を追加する必要が無いので安価に作ることができる。
【００３６】
したがって、簡単で安価な構成で安全性に優れた、熱効率の良い加熱ユニット２０１を構成することができる。
【００３７】
また、ヒータ２１２は平板形状を成したので、片面に放熱フィン２１０、もう片面に蒸発皿２０９と放熱フィン２１１を配置することが可能となり、空間の無駄をなくし、小型で、簡単で安価な、安全性に優れた熱効率の良い加熱ユニット２０１を構成できる。
【００３８】
図２においては、流路は水平になっているが、垂直に配置したい場合には、図３のように蒸発皿２０９の向きを上向きとして配置すると良い。
【００３９】
また、加湿量を増やそうと、ポンプ２０２の出力を上げ、凝縮水の供給量を増やすと、ヒータ２１２の熱量は、凝縮水の蒸発に多くの熱を奪われてしまう。その結果、加熱ユニット２０１の出口における加湿空気の露点は上昇するにもかかわらず、温度は下降してしまうため搬送途中で結露を生じやすくなる。
そこで、加湿空気温度センサ２１４により、加熱ユニット２０１の出口における加湿空気の温度を検出し、検出値が所定の値となるようヒータ２１２の出力を調整する。これによ
り、前記加湿空気の温度や湿度を所望の状態に調整し結露を避けながら加湿量を制御することができる。
加湿量が変化する場合だけでなく、外気温が変化するような場合にも似たような現象が起こるので、同様の制御は有効である。
【００４０】
ところで、図１において、室内機１０１と室外機１０４の距離が長くなると、加湿空気を搬送する際の抵抗が増加し、送風機１１２の出力が同じでは空気の搬送量が低下するために加湿空気の露点が高くなり、出口温度は低下して結露を生じやすくなる。そこで、送風機２０４、加熱ユニット２０１のヒータ２１２の出力を増加させると、結露の発生を防ぎ信頼性の高い加湿を行うことができる。
【００４１】
逆に、室内機１０１と室外機１０４の距離が短くなると、空気の搬送量は増加し、出口温度の低下は減るので、送風機２０４とヒータ２１２の出力が、必要以上に大きくなるので、必要な出力に下げると効率の良い加湿を行うことができる。
【００４２】
また、室内温湿度センサ１１９の検出値が目標湿度に比べ大幅に小さい時には、ポンプ２０２の出力を大きくして加湿量を増やし、少し小さいときにはポンプ２０２の出力を小さくして加湿量を少なくすると、制御性が向上し快適な温湿度環境を得ることができる。ちなみに、室内温湿度センサ１１９の検出値が目標湿度を超えてしまった場合には、加湿は行わないのが望ましい。
【００４３】
また、実際の加湿量は、ポンプ２０２の出力だけではなく、外気の温湿度によっても変化するので、外気の絶対湿度が高いときに、湿度が低いときと同様にポンプ２０２の出力を与えると、加湿空気の露点が高くなり結露を生じやすくなる。そこで、室外温湿度センサ１２１の検出値も考慮して、外気の絶対湿度が高いときにはポンプ２０２の出力を少なくすると、結露を防ぎ信頼性の高い加湿を行うことができる。
【００４４】
本発明の第１の実施の形態における空気調和機では、室外熱交換器１０５で生じた凝縮水を加湿に使用したが、手動で給水をしたり、水道から自動的に供給する構成としても可能である。
【００４５】
以上のように、本実施の形態においては、室内機と室外機とを接続してヒートポンプサイクルを構成する空気調和機であって、取り込んだ室外の空気と水を加熱して高温で絶対湿度の高い加湿空気を作る加湿空気生成手段と、前記加湿空気生成手段に水を供給する水供給手段と、前記水供給手段が取水するための貯水手段と、前記加湿空気を前記室内機に送る加湿空気搬送手段とを有する、加湿手段を室外機に備えたことにより、空気および水を加熱により殺菌することができ、２つの小さな加熱手段と１つの加湿空気搬送手段のみで構成することができ、高温高湿の加湿空気を作り小断面積の搬送路で搬送することができ、衛生的で信頼性の高い加湿機能を実現し、小型で工事性に優れた装置を提供することができる。
【産業上の利用可能性】
【００４６】
以上のように、本発明にかかる空気調和機は、水分を室外より室内に持ち込む加湿機能を有し、衛生的で信頼性の高い加湿機能を実現するとともに、小型の装置を提供することができ、優れた工事性を実現することができるので、エアコンデショナーや換気装置など加湿を行う空気調和機全般の用途に適用きる。
【図面の簡単な説明】
【００４７】
【図１】本発明の実施の形態１における空気調和機の構成図
【図２】本発明の実施の形態１における加熱ユニットの（ａ）側断面図（ｂ）流路に垂直な面側からの断面図
【図３】本発明の実施の形態１における加熱ユニットの別の構成を示す側断面図
【図４】従来の空気調和機の加湿装置の構成図
【符号の説明】
【００４８】
１０１  室内機
１０２  室内熱交換器
１０３  室内送風機
１０４  室外機
１０５  室外熱交換器
１０６  室外送風機
１０７  圧縮機
１０８  膨張弁
２００  加湿装置
２０１  加熱ユニット
２０２  ポンプ
２０３  水タンク
２０４  送風機
２０５  加湿制御ユニット
１１９  室内温湿度センサ
１２１  室外温湿度センサ
２１４  加湿空気温度センサ
【図１】
2010084979.tif 000003
【図２】
2010084979.tif 000004
【図３】
2010084979.tif 000005
【図４】
2010084979.tif 000006